【手続補正書】
【提出日】平成17年6月7日(2005.6.7)
【手続補正１】
【補正対象書類名】明細書
【補正対象項目名】特許請求の範囲
【補正方法】変更
【補正の内容】
【特許請求の範囲】
【請求項１】
足を載せる足置き場（１）と、足置き場上に設定された胴支持枠（４）からなり、この胴支持枠（４）の中に身体を入れ、枠を手に持ちながら、または、手に持たないで、足置き場（１）を０度から３５度の斜め角度にて、自己に適した角度を選定し、角度を固定したのち、足置き回転板（１ａ）を１〜５ｒ．ｐ．ｍ／１分間の間にて回転速度を設定したのち、足置き回転板（１ａ）を正転・逆転、または、連続回転させ、下半身の筋肉、並びに平衡バランス感覚を養うことを特徴とするバランス感覚健康運動器具。
【請求項２】
胴支持枠（４）を、足置き回転板（１ａ）に立つ人の下半身部分の重量負担を少しでも和らげ、高齢者にも最適に機能するように、お尻を軽く支えるための傾斜支持機能を備えた胴支持枠（４ａ）に設定することもできる機能を備えた請求項１記載のバランス感覚健康運動器具。
【請求項３】
回転、または正転・逆転する足置き回転板（１ａ）の上面に、更に、回動可能な足方向選択回転板（１８）、（１９）を組み合わせ設けることにより、足首の捩りを和らげ、左脚と右脚の高低動作だけを主に感じさせる高齢者向け機能を備えた請求項１、請求項２記載のバランス感覚健康運動器具。
【請求項４】
胴支持枠（４）を、左右に細かく微量振動をさせ、腰、又は背中に、振動モミ機能を付加させる構造を有する請求項１、請求項２、請求項３記載のバランス感覚健康運動器具。
【請求項５】
使用者を起立状態にして頭にヘルメット（２５）をかぶせ、首の側面、下面に３６０℃にわたり、左右、前後に順次軽く接触作用をさせ、首周辺部分の筋肉を強くする機能、脳機能を活性化させ感覚機能を強化させ老化の防止に役立たせる頭ヘルメット回転機能をも備えた請求項１，請求項２、請求項３、請求項４記載のバランス感覚健康運動器具。
【手続補正２】
【補正対象書類名】明細書
【補正対象項目名】０００６
【補正方法】変更
【補正の内容】
【０００６】
【課題を解決するための手段】
上記目的を達成するために、本発明に係るバランス感覚健康運動器具は、動作のため下記の実施手段を施した。
（１）足置き場１の足置き回転板１ａの傾斜角度を０度から３５度の範囲に自由に電動スイッチ５にて段階的に設定できる。
（２）足置き場１の足置き回転板１ａの回転動作を一定方向にするのか、どの角度にて正転させてから逆転させるのか、電動スイッチ５にて自動設定を自身で選定できる。
（３）自分の背の高さに合わせた胴体支持粋４は、枠内に立って身体が揺れ動いても枠に身体が触れない大きさに、もたれることもできる構造に設定されている。
（４）胴体支持枠４は足置き場１に立つ下半身部分の重量負担を少しでも和らげ高齢者にも最適に機能するように、お尻を軽く支える機能をも備えた４ａ形態に設定されている。
（５）足置き回転板１８の回転により一定の間隔に置かれた左足２３と右足３４は回転板１ａの面に体重にて確り方向が固定されているため、脚が捩られる機能を有している。
（６）回転板１ａの面に更に回動可能な足方向選択回転板１８、１９を設けることにより、身体と同じ方向に足先を向けたまま、左脚と右脚の高低差を主に感じさせる和らいだ機能も有している。
（７）足方向選択回転板１８だけ設定し、片方の脚だけ自由にして、外の脚は本発明の主機能を体験させ、両機能を同時に体験できる機能も有している。
（８）足方向選択回転板１８に両足をのせ機能させることも可能である。
（９）また、足方向選択回転板１８、１９を使用せず、回転板１ａの面に直接両足を並べて機能させることも本発明でもできることは勿論である。
（１０）本発明の回転板１の面に更に回動可能な足方向選択回転板１８、１９を設けた面に乗った人が滑らないように、靴の裏、又は足が乗る部分に簡単な滑り止めが行われている。
（１１）また、請求項１，請求項２、請求項３、請求項４記載のバランス感覚健康運動器具に、更に上部に回転機能をもった、回転板１ａに立たせ、胴体支持枠４の中に立った人の頭に、上部から頭の回転に合わせて、頭の周辺に頭に合わせ回動機能が可能なプラスチックヘルメット２５をかぶせ、首周辺の筋肉を強くさせたり、立つ人の中心位置を補正したり、しかも脳機能の活性化に最も適応する、老人に最も適した機能を構築させる。
【手続補正３】
【補正対象書類名】明細書
【補正対象項目名】０００９
【補正方法】変更
【補正の内容】
【０００９】
【実施例】
以下、図１、図２、図３、図４、図５、図６、図７、図８、図９、図１０、図１１、図１２、図１３に示す実施例について更に詳細に説明する。


【手続補正４】
【補正対象書類名】明細書
【補正対象項目名】００２２
【補正方法】変更
【補正の内容】
【００２２】
【実施例３】
図１１、図１２は足方向選択回転板１８に左足２３、右足２４を並べて乗せた場合の状態を示し、図１２に示す足方向選択回転板１８の足先方向と回転板１８の回転する状況を見れば、本発明と実施例２と共用すれば、高齢者に適した運動方式とも云える。しかし高齢者の頭にヘルメット２６をかぶせ、図１３の状態にて立つ人の中心位置を常に補正作用させることは高齢者に脳機能の活性化を与え、かつ健康運動機能を強化、回復する高齢者に最も適した運動方式を施す形態となる。
【手続補正５】
【補正対象書類名】明細書
【補正対象項目名】図面の簡単な説明
【補正方法】変更
【補正の内容】
【図面の簡単な説明】
【図１】本発明のバランス感覚健康運動器具の構造を示す側面図である。
【図２】本発明に用いる足置き台の駆動装置とその構成を示す構造図である。
【図３】本発明のバランス感覚健康運動器具を回動する場合の人体に及ぼす影響を示す説明図である。
【図４】本発明のもたれて斜傾した場合の人体に及ぼす影響を示す説明図である。
【図５】本発明の足置き台に円盤を装着した構造を示す説明図である。
【図６】本発明の足置き台が円盤に装着されない場合を示す説明図である。
【図７】本発明の足置き台に円盤に装着する場合の両足先方向を示す説明図である。
【図８】本発明の足置き台に円盤を装着し回動した場合の両足先方向を示す説明図である。
【図９】本発明の足置き台に円盤を片側だけに装着し回動する場合の両足先方向を示す説明図である。
【図１０】本発明の足置き台に円盤を片側だけに装着し回動した場合の両足先方向を示す説明図である。
【図１１】本発明の足置き台に円盤を装着し両足を並べて回動する場合の説明図である。
【図１２】本発明の足置き台に円盤を装着し両足を並べて回動した場合の身体の動き作動を示す説明図である。
【図１３】本発明の足置き台に円盤を装着し両足を並べて回動した場合、身体の頭部にヘルメットをかぶせ、人の中心位置を常に補正作用させ回動する場合の説明図である。
【符号の説明】
１・・・・・・足置き場
１ａ・・・・・足置き回転板
２・・・・・・基台部
３・・・・・・ハンドルスタンド
４、４ａ・・・胴支持枠
４ｂ・・・・・角度設定板
４ｃ・・・・・セットボルト
５・・・・・・電動スイッチ
６・・・・・・底面
７・・・・・・回転板設置円盤
８・・・・・・円盤駆動軸
９・・・・・・駆動減速機構
１０・・・・・駆動クラッチ
１１・・・・・駆動用モータ
１２・・・・・円盤駆動装置支持軸
１３ａ、１３ｂ、１３ｃ・・・・・円盤角度設定機能
１４・・・・・円盤角度設定レバー
１５・・・・・台座側板
１６・・・・・台座側板
１７・・・・・台座底板
１８・・・・・足方向選択回転板
１８ａ・・・・回転駆動軸
１９・・・・・足方向選択回転板
２０・・・・・軸受け穴
２１・・・・・球
２２・・・・・身体
２３・・・・・左足
２４・・・・・右足
２５・・・・・ヘルメット


【手続補正６】
【補正対象書類名】図面
【補正対象項目名】図１３
【補正方法】追加
【補正の内容】
【図１３】
2004016803.tif 000001